(57)【特許請求の範囲】
【請求項１】
複数組の、充電可能な組電池と、
前記複数組の組電池に共通のＤＣバスと、
前記ＤＣバスと前記複数組の組電池との間にそれぞれ設けられた双方向性の電力変換装置とを備え、
前記電力変換装置の各々は、
ＤＣ／ＤＣコンバータと、
前記組電池側での電圧及び電流、並びに、前記ＤＣバス側での電圧及び電流を検知する測定部と、
他の電力変換装置との間で相互に通信を行うための通信部と、
接続されている組電池の電流及び充電率の情報を前記測定部から取得し、かつ、前記通信部を介して全ての組電池についての情報を共有し、全ての組電池の充電率を揃えるように充放電を制御する制御部と、
を備え、
前記制御部は、前記複数組の組電池の充電中に、それぞれの充電率を示すＳＯＣの値が最も高い組電池の充電を停止し、残余の組電池についてＳＯＣの値が大きいほど充電電流を小さく、ＳＯＣの値が小さいほど充電電流を大きくするように、電流を配分する制御を行う、
蓄電システム。
【請求項２】
前記制御部は、前記複数組の組電池の放電中に、それぞれの充電率を示すＳＯＣの値が大きいほど充電電流を大きく、ＳＯＣの値が小さいほど充電電流を小さくするように、電流を配分する制御を行う請求項１に記載の蓄電システム。
【請求項３】
前記制御部は、前記複数組の組電池の放電中に、ＳＯＣの値が最も低い組電池の放電を停止して残余の組電池に電流を配分する請求項２に記載の蓄電システム。
【請求項４】
前記通信部は、前記ＤＣバスと前記複数の電力変換装置とを繋ぐ電路を用いて電力線通信を行う請求項１〜請求項３のいずれか１項に記載の蓄電システム。
【発明の詳細な説明】
【技術分野】
【０００１】
本発明は、二次電池を集積した組電池を複数組備え、これらの組電池の充電／放電を司る蓄電システムに関する。
【背景技術】
【０００２】
図１０は、例えば電気自動車等の電気推進車両に搭載される、従来の蓄電システムの一例を示す単線接続図である（例えば、特許文献１参照。）。図において、ＤＣバス１には、電力変換装置２が接続されている。複数組（ここでは３組）の組電池Ｂ１，Ｂ２，Ｂ３は、電力変換装置２に対して並列に接続されている。組電池Ｂ１〜Ｂ３の各々は、二次電池であるセルＣを集積して構成されており、内蔵するセルバランス回路Ｃｂにより、直列体を構成する複数のセルＣについて各セルの電圧が均等になるよう、調整されている。
【０００３】
組電池Ｂ１〜Ｂ３とシステム制御装置３とは、例えばＣＡＮ（Controller Area Network）通信により、互いに通信可能である。電力変換装置２は双方向に動作することができ、ＤＣバス１の電圧に基づいて各組電池Ｂ１〜Ｂ３を充電するほか、各組電池Ｂ１〜Ｂ３の放電による電力をＤＣバス１に送り込むことができる。
【先行技術文献】
【特許文献】
【０００４】
【特許文献１】特開２０１０−４５９２３号公報
【発明の概要】
【発明が解決しようとする課題】
【０００５】
しかしながら、上記のような従来の蓄電システムでは、セルバランスをとる動作を定期的に行っていても、時間の経過とともに、組電池ごとに内部抵抗が異なってきて、均等に電流が流れなくなる。その結果、複数組の組電池Ｂ１〜Ｂ３間で、充電率（残量）のばらつきが生じる。
また、電力変換装置２は、複数組の組電池Ｂ１〜Ｂ３を束ねるため、大容量である。一般に大容量になるほど内部の部品の種類が少なくなり、部品選定の困難性がある。
【０００６】
かかる従来に問題点に鑑み、本発明は、複数組の組電池間での充電率のばらつきを抑制するとともに、電力変換装置の部品選定の困難性も解消することを目的とする。
【課題を解決するための手段】
【０００７】
本発明の蓄電システムは、複数組の、充電可能な組電池と、前記複数組の組電池に共通のＤＣバスと、前記ＤＣバスと前記複数組の組電池との間にそれぞれ設けられた双方向性の電力変換装置とを備え、
前記電力変換装置の各々は、ＤＣ／ＤＣコンバータと、前記組電池側での電圧及び電流、並びに、前記ＤＣバス側での電圧及び電流を検知する測定部と、他の電力変換装置との間で相互に通信を行うための通信部と、接続されている組電池の電流及び充電率の情報を前記測定部から取得し、かつ、前記通信部を介して全ての組電池についての情報を共有し、全ての組電池の充電率を揃えるように充放電を制御する制御部と、を備えている。
【発明の効果】
【０００８】
本発明は、複数組の組電池間での充電率のばらつきを抑制するとともに、電力変換装置の部品選定の困難性も解消する。
【図面の簡単な説明】
【０００９】
【図１】本発明の一実施形態に係る蓄電システムの単線接続図である。
【図２】電力変換装置の内部構成を示す回路ブロック図である。
【図３】蓄電システムにおける充電時の電流の流れを示す単線接続図である。
【図４】充電時の動作を示すフローチャートである。
【図５】蓄電システムにおける放電時の電流の流れを示す単線接続図である。
【図６】放電時の動作を示すフローチャートである。
【図７】ＤＣ電源から逆阻止用の整流器を介して負荷に電力を供給する給電設備に蓄電システムを設けた接続図の例である。
【図８】商用系統から整流器を介して蓄電システムに接続し、さらにインバータを介して交流の負荷に接続する接続図の例である
【図９】商用系統からＡＣ／ＤＣコンバータを介して蓄電システムに接続する接続図の例である。
【図１０】従来の蓄電システムの一例を示す単線接続図である。
【発明を実施するための形態】
【００１０】
［実施形態の要旨］
本発明の実施形態の要旨としては、少なくとも以下のものが含まれる。
（１）この蓄電システムは、複数組の、充電可能な組電池と、前記複数組の組電池に共通のＤＣバスと、前記ＤＣバスと前記複数組の組電池との間にそれぞれ設けられた双方向性の電力変換装置とを備え、
前記電力変換装置の各々は、ＤＣ／ＤＣコンバータと、前記組電池側での電圧及び電流、並びに、前記ＤＣバス側での電圧及び電流を検知する測定部と、他の電力変換装置との間で相互に通信を行うための通信部と、接続されている組電池の電流及び充電率の情報を前記測定部から取得し、かつ、前記通信部を介して全ての組電池についての情報を共有し、全ての組電池の充電率を揃えるように充放電を制御する制御部と、を備えている。
【００１１】
上記のように構成された蓄電システムでは、組電池ごとに電力変換装置が設けられ、個別の充放電制御が可能である。各電力変換装置は、通信部により相互に通信が可能であり、それぞれの組電池の充電率（残量）を検知して情報を共有し、充電率を揃えるように充放電を制御することで、全ての組電池の充電率を揃えることができる。従って、複数組の組電池の充電／放電の能力を十分に発揮させることができる。
【００１２】
（２）また、（１）の蓄電システムにおいて、前記制御部は、前記複数組の組電池の充電中に、それぞれの充電率を示すＳＯＣの値が大きいほど充電電流を小さく、ＳＯＣの値が小さいほど充電電流を大きくするように、電流を配分する制御を行うようにしてもよい。
この場合、充電率に応じて充電電流を配分することにより全ての組電池の充電率を互いに揃えることができる。
【００１３】
（３）また、（２）の蓄電システムにおいて、前記制御部は、前記複数組の組電池の充電中に、ＳＯＣの値が最も高い組電池の充電を停止して残余の組電池に電流を配分するようにしてもよい。
この場合、残余の組電池の充電率に応じて充電電流を配分することにより、充電を停止した組電池の充電率に、残余の組電池の充電率を追いつかせることができる。
【００１４】
（４）また、（１）の蓄電システムにおいて、前記制御部は、前記複数組の組電池の放電中に、それぞれの充電率を示すＳＯＣの値が大きいほど充電電流を大きく、ＳＯＣの値が小さいほど充電電流を小さくするように、電流を配分するようにしてもよい。
この場合、充電率に応じて放電電流を配分することにより全ての組電池の充電率を互いに揃えることができる。
【００１５】
（５）また、（４）の蓄電システムにおいて、前記制御部は、前記複数組の組電池の放電中に、ＳＯＣの値が最も低い組電池の放電を停止して残余の組電池に電流を配分するようにしてもよい。
この場合、残余の組電池の充電率に応じて放電電流を配分することにより、放電を停止した組電池の充電率に、残余の組電池の充電率を追いつかせることができる。
【００１６】
（６）また、（１）〜（５）のいずれかの蓄電システムにおいて、前記通信部は、前記ＤＣバスと前記複数の電力変換装置とを繋ぐ電路を用いて電力線通信を行うようにしてもよい。
この場合、通信線を別途設ける必要がないので、簡素で、便利である。
【００１７】
［実施形態の詳細］
《単線接続図》
図１は、本発明の一実施形態に係る蓄電システム１００の単線接続図である。この蓄電システム１００は、例えば、電気自動車等の電気推進車両に搭載することができる。
図において、ＤＣバス１には、電力変換装置ＣＶ１，ＣＶ２，ＣＶ３が互いに並列に接続されている。３組の組電池Ｂ１，Ｂ２，Ｂ３はそれぞれ、電力変換装置ＣＶ１，ＣＶ２，ＣＶ３に接続されている。組電池Ｂ１〜Ｂ３の各々は、二次電池であるセルＣを集積して構成されており、内蔵するセルバランス回路Ｃｂにより、直列体を構成する複数のセルＣについて各セルの電圧が均等になるよう、調整されている。
【００１８】
電力変換装置ＣＶ１〜ＣＶ３は双方向に動作することができ、ＤＣバス１の電圧に基づいて各組電池Ｂ１〜Ｂ３を充電するほか、各組電池Ｂ１〜Ｂ３の放電による電力をＤＣバス１に送り込むことができる。また、電力変換装置ＣＶ１〜ＣＶ３は、電力線通信（ＰＬＣ：Power Line Communication）により、相互に通信可能である。
なお、図１では、３組の組電池Ｂ１〜Ｂ３と、それらに対応して設けられた電力変換装置ＣＶ１〜ＣＶ３を示したが、数量は一例に過ぎず、任意の複数組の組電池及びそれらに対応する電力変換装置を設けることができる。
【００１９】
《回路ブロック図》
図２は、電力変換装置ＣＶ１の内部構成を示す回路ブロック図である。なお、この図は、組電池Ｂ１と接続される電力変換装置ＣＶ１について示しているが、組電池Ｂ２，Ｂ３に接続される他の電力変換装置ＣＶ２，ＣＶ３についても内部の構成は同様である。
図において、電力変換装置ＣＶ１は、昇降圧チョッパ回路を構成するＤＣ／ＤＣコンバータ１０と、組電池側とＤＣバス側とに分かれて存在する測定部２０と、制御部３０と、電力線通信による通信部４０とを主な構成ブロック要素として備えている。
【００２０】
ＤＣ／ＤＣコンバータ１０は、主回路要素として、平滑用のコンデンサ１１、リアクトル１２、フリーホイーリングダイオードを有するスイッチング素子１３，１４、平滑用のコンデンサ１５と、を備えている。スイッチング素子１３，１４は、例えばＦＥＴ（Field Effect Transistor）、ＩＧＢＴ（Insulated Gate Bipolar Transistor）等のパワー半導体素子である。また、スイッチング素子１３，１４をＰＷＭ（パルス幅変調）制御で駆動することができるＰＷＭ回路１６を備えている。
【００２１】
組電池Ｂ１の電圧を昇圧するときは、スイッチング素子１３と、スイッチング素子１４とを交互にオンにして、かつ、そのオン時間を制御することにより、所望の電圧へ昇圧することができる。逆に、ＤＣバス１の電圧を降圧するときは、スイッチング素子１３をオフに保ち、スイッチング素子１４のみオン／オフし、かつ、そのデューティを制御することにより、所望の電圧を得ることができる。
【００２２】
組電池側の測定部２０は、組電池Ｂ１の両端電圧である電池電圧Ｖｂを検知する電圧センサ２１と、組電池Ｂ１から流出又は組電池Ｂ１に流入する電池電流Ｉｂｄｃを検知する電流センサ２２とを備えている。電圧センサ２１の出力及び電流センサ２２の出力は、制御部３０に提供される。
また、ＤＣバス側の測定部２０は、ＤＣバス電圧Ｖｄｃを検知する電圧センサ２３と、ＤＣバス１とＤＣ／ＤＣコンバータ１０との間で流れるＤＣバス電流Ｉｄｃを検知する電流センサ２４とを備えている。電圧センサ２３の出力及び電流センサ２４の出力は、制御部３０に提供される。
【００２３】
通信部４０は、電力線通信のモデム機能を有し、ＤＣバス１の１線路に電磁結合するカプラ４０ｃを介して、ＤＣバス１を信号伝送線として他の電力変換装置ＣＶ２，ＣＶ３と通信することができる。この場合、通信線を別途設ける必要がないので、簡素で、便利である。電力線通信により、３台の電力変換装置ＣＶ１〜ＣＶ３で、それぞれの組電池Ｂ１〜Ｂ３の電池電流や、充電率（ＳＯＣ：State of Charge）を示す値の情報を共有する。共有する情報は、制御部３０に与えられる。
【００２４】
制御部３０は、電池残量算出部３１、電流指令値算出部３２、及び、ＰＩ制御部３３を備えている。これらは、ＣＰＵを用いたソフトウェアによる機能部分として実現することができる。但し、ハードウェアを用いた回路により構成することも可能である。電池残量算出部３１は、電池電圧Ｖｂ及び電池電流Ｉｂｄｃに基づいて、電池残量すなわち組電池Ｂ１の充電率を算出する。充電率によって、組電池Ｂ１を充電すべき状態か、放電させ得る状態かを判定（充放電判定）することができる。電池残量算出部３１は、判定結果をＰＩ制御部３３に出力し、また、ＳＯＣの値の情報を電流指令値算出部３２に出力する。
【００２５】
電流指令値算出部３２は、組電池Ｂ１の電池電流及びＳＯＣの値を取得するほか、通信部４０を介して他の組電池Ｂ２，Ｂ３の電池電流やＳＯＣの値の情報を共有する。また、組電池Ｂ１の電池電流やＳＯＣの値の情報を、他の電力変換装置ＣＶ２，ＣＶ３に提供する。そして、電流指令値算出部３２は、自他を含むＳＯＣの情報と、電池電流Ｉｂｄｃとに基づいて、電流の指令値を算出し、ＰＩ制御部３３に出力する。ＰＩ制御部３３は、ＰＷＭ回路１６に制御指令を与えるとともに、フィードバック制御により、実電流を指令値に収束させる。こうして、制御指令を受けたＰＷＭ回路１６の制御により、電池電流Ｉｂｄｃすなわち充電電流又は放電電流を所望の値に制御することができる。
【００２６】
《充電時の動作》
次に、組電池間のＳＯＣの値が不揃いである場合に、これを揃えるための充電について具体的に説明する。
図３は、蓄電システム１００における充電時の電流の流れを示す単線接続図である。充電時には、電力変換装置ＣＶ１〜ＣＶ３からそれぞれ組電池Ｂ１〜Ｂ３に対して、充電電流Ｉｃ１，Ｉｃ２，Ｉｃ３が流れる。
【００２７】
図４は、充電時の動作を示すフローチャートである。このフローチャートの実行主体は制御部３０である。処理開始により、まず、制御部３０は、全ての組電池Ｂ１〜Ｂ３について充電電流（Ｉｂｄｃ）を取得する（ステップＳ１）。続いて、制御部３０は、全ての組電池Ｂ１〜Ｂ３についてＳＯＣの値を取得する（ステップＳ２）。
【００２８】
そして、制御部３０は、各ＳＯＣの値が１００％に満たないか否かを判定する（ステップＳ３）。１００％であれば、処理終了となるが、１００％未満であれば、充電可能であるため、制御部３０は、全ての組電池Ｂ１〜Ｂ３についてＳＯＣの値が互いに一致するか否かを判定する（ステップＳ４）。一致する場合は処理終了となるが、一致しないときは、制御部３０は充電電流指令値を計算する（ステップＳ５）。計算後、制御部３０は充電電流指令値を設定し（ステップＳ６）、ステップＳ１へ戻る。
以上のような処理により、３つの組電池Ｂ１〜Ｂ３それぞれのＳＯＣの値に応じた充電を行うことができる。
【００２９】
ここで、ＳＯＣの値に応じた充電について、具体的な数値例を挙げて説明する。
＜第１例＞
例えば、組電池Ｂ１，Ｂ２，Ｂ３について、ＳＯＣの値がそれぞれ、満充電を１００％として、３０％，５０％，７０％であったとする。また、直前の充電電流Ｉｃ１，Ｉｃ２，Ｉｃ３は概ね均等で合計１５Ａであったとする。
ここで、制御部３０は、ＳＯＣの値が大きいほど充電電流を小さく、ＳＯＣの値が小さいほど充電電流を大きくするように、電流を配分する。この結果、例えば以下のような配分となる。
【００３０】
【表１】
0006442949.tif 000002
【００３１】
すなわち、表１の場合、（１００−ＳＯＣ値［％］）の比である７：５：３で、組電池Ｂ１，Ｂ２，Ｂ３に充電電流を配分することになる。このような配分により、ＳＯＣの値は互いに揃う方向へ向かう。充電電流は随時、ＳＯＣの値に応じて変化させ、最終的にはＳＯＣの値が互いに同じとなるまで充電が行われる。
こうして、充電率に応じて充電電流を配分することにより全ての組電池Ｂ１〜Ｂ３の充電率を互いに揃えることができる。
なお、ＳＯＣの値が揃った後は、均等な充電電流によりＳＯＣ１００％まで充電することができる。
【００３２】
＜第２例＞
例えば、組電池Ｂ１，Ｂ２，Ｂ３について、ＳＯＣの値がそれぞれ、満充電を１００％として、３０％，５０％，７０％であったとする。また、直前の充電電流Ｉｃ１，Ｉｃ２，Ｉｃ３は概ね均等で合計１２Ａであったとする。
ここで、制御部３０は、ＳＯＣの値が最も高い組電池Ｂ３については充電を停止する。また、残る組電池Ｂ１，Ｂ２については、ＳＯＣの値が大きいほど充電電流を小さく、ＳＯＣの値が小さいほど充電電流を大きくするように、電流を配分する。この結果、例えば以下のような配分となる。
【００３３】
【表２】
0006442949.tif 000003
【００３４】
すなわち、表２の場合、（１００−ＳＯＣ値［％］）の比である７：５で、組電池Ｂ１，Ｂ２に充電電流を配分することになる。このような配分により、ＳＯＣの値は互いに揃う方向へ向かう。充電電流は随時、ＳＯＣの値に応じて変化させ、最終的にはＳＯＣの値が互いに同じ７０％となるまで充電が行われる。
こうして、組電池Ｂ３を除く残余の組電池Ｂ１，Ｂ２の充電率に応じて充電電流を配分することにより、充電を停止した組電池Ｂ３の充電率に、残余の組電池Ｂ１，Ｂ２の充電率を追いつかせることができる。
なお、ＳＯＣの値が揃った後は、均等な充電電流によりＳＯＣ１００％まで充電することができる。
【００３５】
《放電時の動作》
次に、組電池間のＳＯＣの値が不揃いである場合に、これを揃えるための放電について具体的に説明する。
図５は、蓄電システム１００における放電時の電流の流れを示す単線接続図である。放電時には、組電池Ｂ１〜Ｂ３からそれぞれ電力変換装置ＣＶ１〜ＣＶ３に向けて、放電電流Ｉｄ１，Ｉｄ２，Ｉｄ３が流れる。
【００３６】
図６は、放電時の動作を示すフローチャートである。このフローチャートの実行主体は制御部３０である。処理開始により、まず、制御部３０は、全ての組電池Ｂ１〜Ｂ３について放電電流（Ｉｂｄｃ）を取得する（ステップＳ１）。続いて、制御部３０は、全ての組電池Ｂ１〜Ｂ３についてＳＯＣの値を取得する（ステップＳ２）。
【００３７】
そして、制御部３０は、各ＳＯＣの値が０％より大きいか否かを判定する（ステップＳ３）。なお、この「０％」は、説明上の一例としての値であるが、実際には放電限界の最低値とすることが好ましい。ここで０％であれば、処理終了となるが、０％より大きい場合は、放電可能であるため、制御部３０は、全ての組電池Ｂ１〜Ｂ３についてＳＯＣの値が互いに一致するか否かを判定する（ステップＳ４）。一致する場合は処理終了となるが、一致しないときは、制御部３０は放電電流指令値を計算する（ステップＳ５）。計算後、制御部３０は放電電流指令値を設定し（ステップＳ６）、ステップＳ１へ戻る。
以上のような処理により、３つの組電池Ｂ１〜Ｂ３それぞれのＳＯＣの値に応じた放電を行うことができる。
【００３８】
ここで、ＳＯＣの値に応じた放電について、具体的な数値例を挙げて説明する。
＜第１例＞
例えば、組電池Ｂ１，Ｂ２，Ｂ３について、ＳＯＣの値がそれぞれ、満充電を１００％として、３０％，５０％，７０％であったとする。また、直前の放電電流Ｉｄ１，Ｉｄ２，Ｉｄ３は概ね均等で合計１５Ａであったとする。
ここで、制御部３０は、ＳＯＣの値が大きいほど放電電流を大きく、ＳＯＣの値が小さいほど充電電流を小さくするように、電流を配分する。この結果、例えば以下のような配分となる。
【００３９】
【表３】
0006442949.tif 000004
【００４０】
すなわち、表３の場合、ＳＯＣ値［％］の比である３：５：７で、組電池Ｂ１，Ｂ２，Ｂ３に放電電流を配分することになる。このような配分により、ＳＯＣの値は互いに揃う方向へ向かう。放電電流は随時、ＳＯＣの値に応じて変化させ、最終的にはＳＯＣの値が互いに同じとなるまで放電が行われる。
こうして、充電率に応じて放電電流を配分することにより全ての組電池Ｂ１〜Ｂ３の充電率を互いに揃えることができる。
なお、ＳＯＣの値が揃った後は、均等な放電電流により放電限界まで放電させることも可能である。
【００４１】
＜第２例＞
例えば、組電池Ｂ１，Ｂ２，Ｂ３について、ＳＯＣの値がそれぞれ、満充電を１００％として、３０％，５０％，７０％であったとする。また、直前の放電電流Ｉｄ１，Ｉｄ２，Ｉｄ３は概ね均等で合計１２Ａであったとする。
ここで、制御部３０は、ＳＯＣの値が最も低い組電池Ｂ１については放電を停止する。また、残る組電池Ｂ２，Ｂ３については、ＳＯＣの値が大きいほど放電電流を大きく、ＳＯＣの値が小さいほど充電電流を小さくするように、電流を配分する。この結果、例えば以下のような配分となる。
【００４２】
【表４】
0006442949.tif 000005
【００４３】
すなわち、表４の場合、ＳＯＣ値［％］の比である５：７で、組電池Ｂ２，Ｂ３に放電電流を配分することになる。このような配分により、ＳＯＣの値は互いに揃う方向へ向かう。放電電流は随時、ＳＯＣの値に応じて変化させ、最終的にはＳＯＣの値が互いに同じ３０％となるまで放電が行われる。
こうして、組電池Ｂ１を除く残余の組電池Ｂ２，Ｂ３の充電率に応じて放電電流を配分することにより、放電を停止した組電池Ｂ１の充電率に、残余の組電池Ｂ２，Ｂ３の充電率を追いつかせることができる。
なお、ＳＯＣの値が揃った後は、均等な放電電流により放電限界まで放電させることも可能である。
【００４４】
《まとめ》
以上のように、本実施形態の蓄電システム１００では、組電池Ｂ１〜Ｂ３ごとに電力変換装置ＣＶ１〜ＣＶ３が設けられ、個別の充放電制御が可能である。複数の組電池を１台の電力変換装置の傘下に置かないことにより、電力変換装置の容量が軽減され、部品選定の困難性も解消する。
また、各電力変換装置ＣＶ１〜ＣＶ３は、通信部４０により相互に通信が可能であり、それぞれの組電池Ｂ１〜Ｂ３の充電率ＳＯＣ（残量）を検知して情報を共有し、充電率を揃えるように充放電を制御することで、複数組の組電池間での充電率のばらつきを抑制し、組電池Ｂ１〜Ｂ３の充電率を揃えることができる。従って、複数組の組電池の充電／放電の能力を十分に発揮させることができる。
【００４５】
《適用例》
上記の蓄電システム１００は、ＤＣバスを有する種々の給電設備に適用することができる。図７は、ＤＣ電源２００から逆阻止用の整流器２０１を介して負荷３００に電力を供給する給電設備に蓄電システム１００を設けた接続図の例である。
図８は、商用系統４００から整流器４０１を介して蓄電システム１００に接続し、さらにインバータ５００を介して交流の負荷３００に接続する接続図の例である。
図９は、商用系統からＡＣ／ＤＣコンバータ６００を介して蓄電システム１００に接続する接続図の例である。
【００４６】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００４７】
１  ＤＣバス
２  電力変換装置
１０  ＤＣ／ＤＣコンバータ
１１  コンデンサ
１２  リアクトル
１３，１４  スイッチング素子
１５  コンデンサ
１６  ＰＷＭ回路
２０  測定部
２１  電圧センサ
２２  電流センサ
２３  電圧センサ
２４  電流センサ
３０  制御部
３１  電池残量算出部
３２  電流指令値算出部
３３  ＰＩ制御部
４０  通信部
４０ｃ  カプラ
１００  蓄電システム
２００  ＤＣ電源
２０１  整流器
３００  負荷
４００  商用系統
４０１  整流器
５００  インバータ
６００  ＡＣ／ＤＣコンバータ
Ｂ１，Ｂ２，Ｂ３  組電池
Ｃ  セル
Ｃｂ  セルバランス回路
ＣＶ１，ＣＶ２，ＣＶ３  電力変換装置
【図１】
0006442949.tif 000006
【図２】
0006442949.tif 000007
【図３】
0006442949.tif 000008
【図４】
0006442949.tif 000009
【図５】
0006442949.tif 000010
【図６】
0006442949.tif 000011
【図７】
0006442949.tif 000012
【図８】
0006442949.tif 000013
【図９】
0006442949.tif 000014
【図１０】
0006442949.tif 000015